(57)【要約】【課題】表示画像に応じた輝度調節が可能な画像処理システム、プロジェクタ、プログラム、情報記憶媒体および画像処理方法を提供すること。【解決手段】画像信号を入力する信号入力部１１０と、補正された画像信号を出力する信号出力部１３０と、画像投写部１９０と、画像における位置と当該位置における補正量を示す補正テーブルを記憶する補正テーブル記憶部１４０と、ユーザーの補正指示を示す指示情報を入力する指示入力部１５０と、入力された画像信号の輝度を、補正テーブルと、指示情報とに基づき、画像の中央部と周辺部の輝度の均一性を高める場合には画像の中央部の輝度が現在の輝度よりも低くなり、画像の中央部を強調する場合には画像の周辺部の輝度が現在の輝度よりも低くなるように画像信号の輝度を調節する輝度調節部１２０とを含んでプロジェクタを構成する。【選択図】        図５
2004226608.tif 000002
【特許請求の範囲】
【請求項１】
画像信号を入力する信号入力手段と、
画像の輝度が調節されるように、入力された画像信号を補正する輝度調節手段と、
補正された画像信号を出力する信号出力手段と、
ユーザーの補正指示を示す指示情報を入力する指示入力手段と、
を含む画像処理システムにおいて、
前記輝度調節手段は、画像における位置と当該位置における補正量を示す補正テーブルと、前記指示情報とに基づき、画像の中央部と周辺部の輝度の均一性を高める場合には画像の中央部の輝度が現在の輝度よりも低くなるように前記画像信号を補正し、画像の中央部を強調する場合には画像の周辺部の輝度が現在の輝度よりも低くなるように前記画像信号を補正することを特徴とする画像処理システム。
【請求項２】
画像信号を入力する信号入力手段と、
画像の輝度が調節されるように、入力された画像信号を補正する輝度調節手段と、
補正された画像信号を出力する信号出力手段と、
画像の輝度を測定して輝度情報を出力する輝度測定手段と、
を含む画像処理システムにおいて、
前記輝度調節手段は、画像における位置と当該位置における補正量を示す補正テーブルと、前記輝度情報とに基づき、画像の中央部の輝度が周辺部の輝度と比べて高い場合には中央部の輝度が周辺部の輝度と等しくなるように前記画像信号を補正することを特徴とする画像処理システム。
【請求項３】
請求項１、２のいずれかにおいて、
前記補正テーブルは、画像における位置ごとに、当該位置における暗室基準輝度と当該画像における最低輝度との差分を、当該画像における最高輝度と当該画像における最低輝度との差分で割った値に基づく補正量を有することを特徴とする画像処理システム。
【請求項４】
請求項３において、
前記補正量は、（（暗室基準輝度−最低輝度）／暗室基準輝度）／（（最高輝度−最低輝度）／最高輝度）であることを特徴とする画像処理システム。
【請求項５】
画像信号を入力する信号入力手段と、
画像の輝度が調節されるように、入力された画像信号を補正する輝度調節手段と、
補正された画像信号を出力する信号出力手段と、
ユーザーの補正指示を示す指示情報を入力する指示入力手段と、
前記信号出力手段によって出力された画像信号に基づき、画像を投写する画像投写手段と、
を含むプロジェクタにおいて、
前記輝度調節手段は、画像における位置と当該位置における補正量を示す補正テーブルと、前記指示情報とに基づき、画像の中央部と周辺部の輝度の均一性を高める場合には画像の中央部の輝度が現在の輝度よりも低くなるように前記画像信号を補正し、画像の中央部を強調する場合には画像の周辺部の輝度が現在の輝度よりも低くなるように前記画像信号を補正することを特徴とするプロジェクタ。
【請求項６】
画像信号を入力する信号入力手段と、
画像の輝度が調節されるように、入力された画像信号を補正する輝度調節手段と、
補正された画像信号を出力する信号出力手段と、
画像の輝度を測定して輝度情報を出力する輝度測定手段と、
前記信号出力手段によって出力された画像信号に基づき、画像を投写する画像投写手段と、
を含むプロジェクタにおいて、
前記輝度調節手段は、画像における位置と当該位置における補正量を示す補正テーブルと、前記輝度情報とに基づき、画像の中央部の輝度が周辺部の輝度と比べて高い場合には中央部の輝度が周辺部の輝度と等しくなるように前記画像信号を補正することを特徴とするプロジェクタ。
【請求項７】
コンピュータにより読み取り可能なプログラムであって、
コンピュータを、
画像信号を入力する信号入力手段と、
画像の輝度が調節されるように、入力された画像信号を補正する輝度調節手段と、
補正された画像信号を出力する信号出力手段と、
ユーザーの補正指示を示す指示情報を入力する指示入力手段として機能させ、
前記輝度調節手段は、画像における位置と当該位置における補正量を示す補正テーブルと、前記指示情報とに基づき、画像の中央部と周辺部の輝度の均一性を高める場合には画像の中央部の輝度が現在の輝度よりも低くなるように前記画像信号を補正し、画像の中央部を強調する場合には画像の周辺部の輝度が現在の輝度よりも低くなるように前記画像信号を補正することを特徴とするプログラム。
【請求項８】
コンピュータにより読み取り可能なプログラムであって、
コンピュータを、
画像信号を入力する信号入力手段と、
画像の輝度が調節されるように、入力された画像信号を補正する輝度調節手段と、
補正された画像信号を出力する信号出力手段と、
画像の輝度を測定して輝度情報を出力する輝度測定手段として機能させ、
前記輝度調節手段は、画像における位置と当該位置における補正量を示す補正テーブルと、前記輝度情報とに基づき、画像の中央部の輝度が周辺部の輝度と比べて高い場合には中央部の輝度が周辺部の輝度と等しくなるように前記画像信号を補正することを特徴とするプログラム。
【請求項９】
コンピュータにより読み取り可能な情報記憶媒体であって、
請求項７、８のいずれかに記載のプログラムを記憶したことを特徴とする情報記憶媒体。
【請求項１０】
ユーザーの補正指示を示す指示情報を入力し、
画像信号を入力し、
画像における位置と当該位置における補正量を示す補正テーブルと、前記指示情報とに基づき、画像の中央部と周辺部の輝度の均一性を高める場合には画像の中央部の輝度が現在の輝度よりも低くなるように前記画像信号を補正し、画像の中央部を強調する場合には画像の周辺部の輝度が現在の輝度よりも低くなるように前記画像信号を補正し、
補正された画像信号を出力することを特徴とする画像処理方法。
【請求項１１】
表示された画像の輝度を測定して輝度情報を出力し、
画像信号を入力し、
画像における位置と当該位置における補正量を示す補正テーブルと、前記輝度情報とに基づき、画像の中央部の輝度が周辺部の輝度と比べて高い場合には中央部の輝度が周辺部の輝度と等しくなるように前記画像信号を補正し、
補正された画像信号を出力することを特徴とする画像処理方法。
【発明の詳細な説明】
【０００１】
【発明の属する技術分野】
本発明は、画像の輝度を調節可能な画像処理システム、プロジェクタ、プログラム、情報記憶媒体および画像処理方法に関する。
【０００２】
【背景技術】
近年、プロジェクタ等の画像表示装置においては、映画、ゲーム、ＰＣ（Ｐｅｒｓｏｎａｌ  Ｃｏｍｐｕｔｅｒ）等の表示内容に応じて色や明るさを調整する画像表示装置が提供されている。
【０００３】
このような画像表示装置では、画像全体に対して一律に補正が施される。
【０００４】
しかし、実際には、光源や投写レンズの性質によって画像周辺部の輝度が低下してしまうため、画像全体に対して一律に補正を施したのでは、画像表示時に適切な画像を表示することができない。
【０００５】
このような課題を解決するため、例えば、特許文献１では、Ｒ、Ｇ、Ｂ原色ビデオ信号を色むら補正波形信号等で変調し、Ｒ、Ｇ、ＢのＣＲＴに流れるビーム電流量を制御し、ＣＲＴ蛍光面上の輝度出力を制御することにより、スクリーン上で均一なＲ、Ｇ、Ｂの照度分布を得るユニフォミティ回路が開示されている。
【０００６】
【特許文献１】
特開平５−３２３８９２号公報
【０００７】
【発明が解決しようとする課題】
しかし、当該公報のユニフォミティ回路は、色むらを補正することによって結果的に画像周辺部の輝度低下を抑制しているものに過ぎず、具体的にどのような補正を行えば画像周辺部の輝度低下を抑制することができるかについては開示されていない。
【０００８】
また、色むら補正を完全に実施することが画質の向上に直結するとは言えず、補正ではなく、表示する内容（コンテンツ）に合わせて画像を調整することが重要である。
【０００９】
本発明は、上記の課題に鑑みなされたものであり、その目的は、表示画像に応じた輝度調節が可能な画像処理システム、プロジェクタ、プログラム、情報記憶媒体および画像処理方法を提供することにある。
【００１０】
【課題を解決するための手段】
上記課題を解決するため、本発明に係る画像処理システムは、画像信号を入力する信号入力手段と、
画像の輝度が調節されるように、入力された画像信号を補正する輝度調節手段と、
補正された画像信号を出力する信号出力手段と、
ユーザーの補正指示を示す指示情報を入力する指示入力手段と、
を含む画像処理システムにおいて、
前記輝度調節手段は、画像における位置と当該位置における補正量を示す補正テーブルと、前記指示情報とに基づき、画像の中央部と周辺部の輝度の均一性を高める場合には画像の中央部の輝度が現在の輝度よりも低くなるように前記画像信号を補正し、画像の中央部を強調する場合には画像の周辺部の輝度が現在の輝度よりも低くなるように前記画像信号を補正することを特徴とする。
【００１１】
また、本発明に係るプロジェクタは、画像信号を入力する信号入力手段と、
画像の輝度が調節されるように、入力された画像信号を補正する輝度調節手段と、
補正された画像信号を出力する信号出力手段と、
ユーザーの補正指示を示す指示情報を入力する指示入力手段と、
前記信号出力手段によって出力された画像信号に基づき、画像を投写する画像投写手段と、
を含むプロジェクタにおいて、
前記輝度調節手段は、画像における位置と当該位置における補正量を示す補正テーブルと、前記指示情報とに基づき、画像の中央部と周辺部の輝度の均一性を高める場合には画像の中央部の輝度が現在の輝度よりも低くなるように前記画像信号を補正し、画像の中央部を強調する場合には画像の周辺部の輝度が現在の輝度よりも低くなるように前記画像信号を補正することを特徴とする。
【００１２】
また、本発明に係るプログラムは、コンピュータにより読み取り可能なプログラムであって、
コンピュータを、
画像信号を入力する信号入力手段と、
画像の輝度が調節されるように、入力された画像信号を補正する輝度調節手段と、
補正された画像信号を出力する信号出力手段と、
ユーザーの補正指示を示す指示情報を入力する指示入力手段として機能させ、
前記輝度調節手段は、画像における位置と当該位置における補正量を示す補正テーブルと、前記指示情報とに基づき、画像の中央部と周辺部の輝度の均一性を高める場合には画像の中央部の輝度が現在の輝度よりも低くなるように前記画像信号を補正し、画像の中央部を強調する場合には画像の周辺部の輝度が現在の輝度よりも低くなるように前記画像信号を補正することを特徴とする。
【００１３】
また、本発明に係る情報記憶媒体は、コンピュータにより読み取り可能な情報記憶媒体であって、上記プログラムを記憶したことを特徴とする。
【００１４】
また、本発明に係る画像処理方法は、ユーザーの補正指示を示す指示情報を入力し、
画像信号を入力し、
画像における位置と当該位置における補正量を示す補正テーブルと、前記指示情報とに基づき、画像の中央部と周辺部の輝度の均一性を高める場合には画像の中央部の輝度が現在の輝度よりも低くなるように前記画像信号を補正し、画像の中央部を強調する場合には画像の周辺部の輝度が現在の輝度よりも低くなるように前記画像信号を補正し、
補正された画像信号を出力することを特徴とする。
【００１５】
本発明によれば、画像処理システム等は、画像における位置と当該位置における補正量を示す補正テーブルに基づいて輝度を調節することにより、画像全体の輝度を均一なものとし、表示画像に応じて輝度調節することが可能になる。
【００１６】
また、本発明によれば、画像処理システム等は、ユーザーの補正指示が画像の中央部と周辺部の輝度の均一性を高める指示である場合には画像の中央部の輝度が現在の輝度よりも低くなるように画像信号を補正し、ユーザーの補正指示が画像の中央部を強調する指示である場合には画像の周辺部の輝度が現在の輝度よりも低くなるように画像信号を補正することにより、ユーザーの好みに応じた画像を出力することができる。
【００１７】
また、本発明に係る画像処理システムは、画像信号を入力する信号入力手段と、
画像の輝度が調節されるように、入力された画像信号を補正する輝度調節手段と、
補正された画像信号を出力する信号出力手段と、
画像の輝度を測定して輝度情報を出力する輝度測定手段と、
を含む画像処理システムにおいて、
前記輝度調節手段は、画像における位置と当該位置における補正量を示す補正テーブルと、前記輝度情報とに基づき、画像の中央部の輝度が周辺部の輝度と比べて高い場合には中央部の輝度が周辺部の輝度と等しくなるように前記画像信号を補正することを特徴とする。
【００１８】
また、本発明に係るプロジェクタは、画像信号を入力する信号入力手段と、
画像の輝度が調節されるように、入力された画像信号を補正する輝度調節手段と、
補正された画像信号を出力する信号出力手段と、
画像の輝度を測定して輝度情報を出力する輝度測定手段と、
前記信号出力手段によって出力された画像信号に基づき、画像を投写する画像投写手段と、
を含むプロジェクタにおいて、
前記輝度調節手段は、画像における位置と当該位置における補正量を示す補正テーブルと、前記輝度情報とに基づき、画像の中央部の輝度が周辺部の輝度と比べて高い場合には中央部の輝度が周辺部の輝度と等しくなるように前記画像信号を補正することを特徴とする。
【００１９】
また、本発明に係るプログラムは、コンピュータにより読み取り可能なプログラムであって、
コンピュータを、
画像信号を入力する信号入力手段と、
画像の輝度が調節されるように、入力された画像信号を補正する輝度調節手段と、
補正された画像信号を出力する信号出力手段と、
画像の輝度を測定して輝度情報を出力する輝度測定手段として機能させ、
前記輝度調節手段は、画像における位置と当該位置における補正量を示す補正テーブルと、前記輝度情報とに基づき、画像の中央部の輝度が周辺部の輝度と比べて高い場合には中央部の輝度が周辺部の輝度と等しくなるように前記画像信号を補正することを特徴とする。
【００２０】
また、本発明に係る画像処理方法は、表示された画像の輝度を測定して輝度情報を出力し、
画像信号を入力し、
画像における位置と当該位置における補正量を示す補正テーブルと、前記輝度情報とに基づき、画像の中央部の輝度が周辺部の輝度と比べて高い場合には中央部の輝度が周辺部の輝度と等しくなるように前記画像信号を補正し、
補正された画像信号を出力することを特徴とする。
【００２１】
本発明によれば、画像処理システム等は、画像における位置と当該位置における補正量を示す補正テーブルに基づいて輝度を調節することにより、画像全体の輝度を均一なものとし、表示画像に応じて輝度調節することが可能になる。
【００２２】
また、本発明によれば、画像処理システム等は、実際に表示された画像の輝度を測定して測定値に応じて輝度を調節することにより、視環境に適合した画像を出力することができる。
【００２３】
また、前記画像処理システム、前記プロジェクタ、前記プログラム、前記情報記憶媒体および前記画像処理方法において、前記補正テーブルは、画像における位置ごとに、当該位置における暗室基準輝度と当該画像における最低輝度との差分を、当該画像における最高輝度と当該画像における最低輝度との差分で割った値に基づく補正量を有してもよい。
【００２４】
これによれば、画像処理システム等は、画像の輝度分布に応じて輝度を調節することができる。
【００２５】
また、前記画像処理システム、前記プロジェクタ、前記プログラム、前記情報記憶媒体および前記画像処理方法において、前記補正量は、（（暗室基準輝度−最低輝度）／暗室基準輝度）／（（最高輝度−最低輝度）／最高輝度）であってもよい。
【００２６】
これによれば、画像処理システム等は、暗室基準輝度と最低輝度との差分を暗室基準輝度で割り、最高輝度と最低輝度との差分を最高輝度で割った値を用いることにより、正規化することができるため、画像の輝度分布に応じてより適切に輝度を調節することができる。
【００２７】
【発明の実施の形態】
以下、本発明を、画像を構成する各画素の輝度を調節する画像処理システムとして機能するプロジェクタに適用した場合を例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００２８】
（システム全体の説明）
図１は、画像投写時の状態を示す模式図である。
【００２９】
図１に示すように、一般的にプロジェクタ２０は、スクリーン領域１０の正面に配置され、投写領域１２に画像を投写する。
【００３０】
図２は、画像全体の色が均一な一様画像を示す画像信号に基づいてプロジェクタ２０が投写した画像を示す模式図である。また、図３は、補正前の画像の輝度分布を示す模式図である。
【００３１】
図１に示す状態でプロジェクタ２０が、画像全体の色が均一な一様画像を投写すると、図２および図３に示すように、投写された画像は、画像の中央部、すなわち、ｘｙ座標の中間部が、周辺部、すなわち、ｘｙ座標の開始部および終了部と比べて輝度Ｙが高くなる。これは、プロジェクタ２０の投写レンズや光源の影響によるものである。
【００３２】
なお、ｘｙ座標は、実際にはｘｙそれぞれの座標であり、２軸となるが、説明の簡略化のため、本実施例では１つの軸で模式的に表している。
【００３３】
図４は、画像のｘｙ座標位置における補正量を示す模式図である
本実施の形態では、図３に示すように、画像の中央部が周辺部に比べて輝度が高い状態となっている場合、図４に示すような図３とは輝度が逆となる補正を行う。これにより、補正後の画像の輝度は、ｘｙ座標位置によらずにほぼ均一な値となる。
【００３４】
このように、本実施形態のプロジェクタ２０は、画像内の位置によらずに輝度が均一な画像を投写することができ、輝度むらや色むらを低減することができる。
【００３５】
（機能ブロックの説明）
次に、このような機能を実現するためのプロジェクタ２０の機能ブロックについて説明する。
【００３６】
図５は、本実施形態の一例に係るプロジェクタ２０の機能ブロック図である。
【００３７】
プロジェクタ２０は、画像信号を入力する信号入力部１１０と、画像の輝度が調節されるように、入力された画像信号を補正する輝度調節部１２０と、補正された画像信号を出力する信号出力部１３０と、画像における位置と当該位置における補正量を示す補正テーブルを記憶する補正テーブル記憶部１４０と、ユーザーの補正指示を示す指示情報を入力する指示入力部１５０と、信号出力部１３０からの画像信号に基づき画像を投写する画像投写部１９０とを含んで構成されている。
【００３８】
また、輝度調節部１２０は、画像の中央部と周辺部の輝度の均一性を高める補正指示があった場合には画像の中央部の輝度が現在の輝度よりも低くなるように画像信号を補正し、画像の中央部を強調する補正指示があった場合には画像の周辺部の輝度が現在の輝度よりも低くなるように画像信号を補正する。
【００３９】
ここで、補正テーブルについて説明する。
【００４０】
図６は、本実施形態の一例に係る補正テーブルの模式図である。
【００４１】
図２のように画像の中央部の輝度が周辺部の輝度と比べて高い場合、輝度調節部１２０は、図６に示すように、中央部の輝度の補正量が周辺部（端部）の輝度の補正量よりも多くなるように輝度を調節する。このため、補正テーブルは、画像における位置を示すｘｙ座標と当該位置における補正量とが関連づけられている。
【００４２】
これにより、輝度調節部１２０は、当該補正テーブルに基づいて輝度を調節することにより、中央部と周辺部の輝度差が小さくなるように補正することができる。
【００４３】
また、画像投写部１９０は、空間光変調器１９２と、空間光変調器１９２を駆動する駆動部１９４と、光源１９６と、レンズ１９８とを含んで構成されている。
【００４４】
駆動部１９４は、信号出力部１３０からの画像信号に基づき、空間光変調器１９２を駆動する。そして、画像投写部１９０は、光源１９６からの光を、空間光変調器１９２およびレンズ１９８を介して投写する。なお、光源１９６が点光源の場合には、画像の輝度分布の違いが明確となる。
【００４５】
また、上述したプロジェクタ２０の各部を実現するためのハードウェアとしては、例えば、以下のものを適用できる。
【００４６】
図７は、本実施形態の一例に係るプロジェクタ２０のハードウェアブロック図である。
【００４７】
例えば、信号入力部１１０としては、例えばＡ／Ｄコンバーター９３０等、補正テーブル記憶部１４０としては、例えばＲＡＭ９５０等、輝度調節部１２０としては、例えば画像処理回路９７０、ＲＡＭ９５０、ＣＰＵ９１０等、信号出力部１３０としては、例えばＤ／Ａコンバーター９４０等、空間光変調器１９２としては、例えば液晶パネル９２０、液晶パネル９２０を駆動する液晶ライトバルブ駆動ドライバを記憶するＲＯＭ９６０等を用いて実現できる。
【００４８】
なお、これらの各部はシステムバス９８０を介して相互に情報をやりとりすることが可能である。
【００４９】
また、これらの各部は回路のようにハードウェア的に実現してもよいし、ドライバのようにソフトウェア的に実現してもよい。
【００５０】
さらに、輝度調節部１２０等としてコンピュータを機能させるためのプログラムを記憶した情報記憶媒体９００からプログラムを読み取って輝度調節部１２０等の機能をコンピュータに実現させてもよい。
【００５１】
このような情報記憶媒体９００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００５２】
また、情報記憶媒体９００に代えて、上述した各機能を実現するためのプログラム等を、伝送路を介してホスト装置等からダウンロードすることによって上述した各機能を実現することも可能である。
【００５３】
次に、これらの各部を用いた画像処理の流れについて説明する。
【００５４】
まず、ユーザーは、プロジェクタ２０を起動し、プロジェクタ２０は、べた画像（色が均一な画像）を示す画像信号に基づいて単一色のキャリブレーション画像を投写する。そして、ユーザーは、表示されたキャリブレーション画像を見てリモコンまたはプロジェクタ２０本体のボタンを操作して輝度調節パラメータＰを設定する。
【００５５】
指示入力部１５０は、輝度調節パラメータＰを、補正指示を示す指示情報として入力する。なお、輝度調節パラメータＰは、例えば、−１００〜１００までの整数値を適用してもよい。この場合、Ｐ＝０の場合が通常状態で画像の中央部の輝度が周辺部の輝度よりもやや高い状態を示す。また、Ｐが負の値の場合、通常よりも中央部の輝度が低い状態を示す。また、Ｐが正の値の場合、通常よりも中央部の輝度が高い状態を示す。
【００５６】
輝度調節部１２０は、補正テーブル記憶部１４０に記憶された補正テーブルと、指示入力部１５０からの指示情報とに基づき、画像内のｘｙ座標ごとに画像信号の調節量を演算する。
【００５７】
例えば、補正テーブルは、ｘｙ座標ごとに、当該座標位置における暗室基準輝度Ｙｘｙと当該画像における最低輝度Ｙｍｉｎとの差分を、当該画像における最高輝度Ｙｍａｘと当該画像における最低輝度Ｙｍｉｎとの差分で割った値に基づく補正量を有する。
【００５８】
例えば、ｘｙ座標ごとの補正量をＡＤＪｘｙとした場合、
ＡＤＪｘｙ＝（（Ｙｘｙ−Ｙｍｉｎ）／Ｙｘｙ）／（（Ｙｍａｘ−Ｙｍｉｎ）／Ｙｍａｘ）
となるように補正テーブルを構成する。
【００５９】
この場合、輝度調節部１２０は、Ｐが０未満の場合、すなわち、通常よりも中央部の輝度が低い場合、ｘｙ座標ごとの輝度調節前の色情報ＲＧＢｘｙから、輝度調節後の色情報ＲＧＢ’ｘｙを、例えば、以下の式で演算する。
【００６０】
ＲＧＢ  ’ｘｙ＝ＲＧＢｘｙ＊（１−ＡＤＪｘｙ＊（｜Ｐ｜／１００））
また、輝度調節部１２０は、Ｐが０以上の場合、すなわち、通常よりも中央部の輝度が高い場合、ｘｙ座標ごとの輝度調節前の色情報ＲＧＢｘｙから、輝度調節後の色情報ＲＧＢ’ｘｙを、例えば、以下の式で演算する。
【００６１】
ＲＧＢ  ’ｘｙ＝ＲＧＢｘｙ＊（１−（１−ＡＤＪｘｙ）＊（Ｐ／１００））
信号出力部１３０は、輝度調節後のデジタル形式の色情報ＲＧＢ’ｘｙをアナログ形式の画像信号に変更し、画像投写部１９０は、当該画像信号に基づき、輝度を調節した画像を投写する。
【００６２】
ユーザーは、表示された画像が適切な輝度分布となっていれば調節を終了し、適切でなければ再度パラメータを変更する。
【００６３】
以上のように、本実施形態によれば、プロジェクタ２０は、画像における位置と当該位置における補正量を示す補正テーブルに基づいて輝度を調節することにより、画像全体の輝度を均一なものとし、表示画像に応じて輝度調節することが可能になる。
【００６４】
また、本実施形態によれば、プロジェクタ２０は、ユーザーの補正指示に応じて輝度を調節することにより、ユーザーの好みに応じた画像を出力することができる。
【００６５】
さらに、本実施形態によれば、プロジェクタ２０は、暗室基準輝度と最低輝度との差分を暗室基準輝度で割り、最高輝度と最低輝度との差分を最高輝度で割った値を用いることにより、正規化することができるため、画像の輝度分布に応じて表示対象コンテンツに応じたより適切に輝度を調節することができる。
【００６６】
（変形例）
以上、本発明を適用した好適な実施の形態について説明してきたが、本発明の適用は上述した実施例に限定されない。
【００６７】
上述した実施例では、画像の中央部が最も輝度が高くなった画像を例に採り説明したが、画像の中央部が最も輝度が高い場合に限定されず、種々の輝度分布に対して本発明を適用できる。
【００６８】
例えば、上述した実施例では、プロジェクタ２０をスクリーン領域１０の正面に配置したが、プロジェクタ２０がスクリーン領域１０の斜めの位置にある場合には輝度分布が偏ることになる。このような場合にも本発明は有効である。
【００６９】
図８は、補正前の画像の輝度分布を示す模式図の他の一例である。
【００７０】
例えば、スクリーン領域１０に向いた状態で右斜めの位置にプロジェクタ２０を配置することにより、画像の右側中央部が最も輝度が高くなっている場合には、図８に示すように、画像の右側中央部の座標位置の補正量を最も大きくすることにより、最も輝度が高い部分の輝度を低減し、画像の輝度分布を均一なものにすることができる。
【００７１】
また、上述した実施例では、ユーザーの指示に応じて画像の輝度を調節したが、例えば、画像の輝度を測定して輝度情報を出力する輝度測定部をプロジェクタ２０に設けてもよい。
【００７２】
この場合、輝度調節部１２０は、補正テーブルと、輝度測定部からの輝度情報に基づいて輝度を調節する。これによれば、プロジェクタ２０は、実際に表示された画像の輝度を測定して測定値に応じて輝度を調節することにより、視環境に適合した画像を出力することができる。
【００７３】
なお、このような輝度測定部としては、例えば、ＣＣＤセンサー、ＣＭＯＳセンサー等を適用できる。もちろん、輝度調節部１２０は、輝度情報と、ユーザーによる指示情報の両方に基づいて画像の輝度を調節してもよい。
【００７４】
さらに、プロジェクタ２０は、定期的に輝度を測定し、当該輝度情報に基づいて補正テーブルを更新してもよい。
【００７５】
これにより、プロジェクタ２０は、より正確に輝度分布調節を行うことができる。
【００７６】
また、画像を複数の領域に分割し、補正テーブルを当該領域ごとに設けてもよい。
【００７７】
また、光源１９６等の経時劣化に対応するため、プロジェクタ２０にタイマー等の計時部を設け、光源１９６等の使用時間に応じた経時劣化を考慮した補正テーブルを設けてもよい。
【００７８】
これによれば、プロジェクタ２０は、光源１９６等の経時劣化に対応でき、より正確な輝度分布調節を行うことができる。
【００７９】
また、上述した実施例では、画像処理システムとしてプロジェクタ２０を用いたが、本発明は、プロジェクタ２０以外にもＣＲＴ（Ｃａｔｈｏｄｅ  Ｒａｙ  Ｔｕｂｅ）、ＬＥＤ（Ｌｉｇｈｔ  Ｅｍｉｔｔｉｎｇ  Ｄｉｏｄｅ）等の種々の光源を用いた画像処理システムに有効である。
【００８０】
また、プロジェクタ２０としては、例えば、液晶プロジェクタ、ＤＭＤ（Ｄｉｇｉｔａｌ  Ｍｉｃｒｏｍｉｒｒｏｒ  Ｄｅｖｉｃｅ）を用いたプロジェクタ等を用いてもよい。なお、ＤＭＤは米国テキサスインスツルメンツ社の商標である。
【００８１】
なお、上述したプロジェクタ２０の機能は、例えば、プロジェクタ単体で実現してもよいし、複数の処理装置で分散して（例えば、プロジェクタとＰＣとで分散処理）実現してもよい。
【図面の簡単な説明】
【図１】画像投写時の状態を示す模式図である。
【図２】画像全体の色が均一な一様画像を示す画像信号に基づいてプロジェクタが投写した画像を示す模式図である。
【図３】補正前の画像の輝度分布を示す模式図である。
【図４】画像のｘｙ座標位置における補正量を示す模式図である
【図５】本実施形態の一例に係るプロジェクタの機能ブロック図である。
【図６】本実施形態の一例に係る補正テーブルの模式図である。
【図７】本実施形態の一例に係るプロジェクタのハードウェアブロック図である。
【図８】補正前の画像の輝度分布を示す模式図の他の一例である。
【符号の説明】
１０  スクリーン領域、１２  投写領域、２０  プロジェクタ（画像処理システム）、１１０  信号入力部、１２０  輝度調節部、１３０  信号出力部、１４０  補正テーブル記憶部、１５０  指示入力部、１９０  画像投写部、９００  情報記憶媒体
【図１】
2004226608.tif 000003
【図２】
2004226608.tif 000004
【図３】
2004226608.tif 000005
【図４】
2004226608.tif 000006
【図５】
2004226608.tif 000007
【図６】
2004226608.tif 000008
【図７】
2004226608.tif 000009
【図８】
2004226608.tif 000010